(57)【要約】      （修正有）【課題】複数の取引先の各々に関する入金処理が行われる度に当該取引先に関連する記録媒体の情報を読取部により読み取らせる場合と比較して、操作者の作業負担を軽減することができ、また、違算が発生した場合にどの取引先が原因であるかを追跡することができる貨幣処理装置および貨幣処理方法を提供する。【解決手段】貨幣処理装置（例えば、貨幣入金機１）は、記録媒体９２の識別情報と、複数の取引先識別情報とを関連付けて記憶する記憶部９２ａと、記録媒体９２に記録された情報が読取部９０によって読み取られたときに、記憶部９２ａに記憶された情報に基づいて当該記録媒体９２に関連付けられた複数の取引先識別情報を特定する取引先特定部９６と、取引先特定部９６により特定された複数の取引先識別情報に関する入金処理を行うことを可能とする制御部（例えば、本体制御部８０）とを備えている。【選択図】図７
2016062250.tif 000002
【特許請求の範囲】
【請求項１】
少なくとも貨幣の入金処理を行う貨幣処理装置であって、
持ち運び可能な記録媒体に記録された情報の読み取りを行う読取部と、
前記記録媒体の識別情報と、複数の取引先識別情報とを関連付けて記憶する記憶部と、
前記記録媒体に記録された情報が前記読取部によって読み取られたときに、前記記憶部に記憶された情報に基づいて当該記録媒体に関連付けられた複数の前記取引先識別情報を特定する取引先特定部と、
前記取引先特定部により特定された複数の前記取引先識別情報に関する入金処理を行うことを可能とする制御部と、
を備えた、貨幣処理装置。
【請求項２】
前記制御部は、前記取引先特定部により特定された複数の前記取引先識別情報に関する入金処理の結果に係る情報を、各前記取引先識別情報に関連付けて管理するようになっている、請求項１記載の貨幣処理装置。
【請求項３】
前記記憶部は、前記貨幣処理装置の筐体内に設けられている、請求項１または２記載の貨幣処理装置。
【請求項４】
前記記憶部は、前記記録媒体に設けられている、請求項１または２記載の貨幣処理装置。
【請求項５】
前記記憶部には、複数の前記取引先識別情報を、入金処理の順序に関連付けて記憶するようになっており、
前記取引先特定部により特定された複数の前記取引先識別情報に関する入金処理が行われる際に、ある一つの前記取引先識別情報に関する入金処理が終了すると、前記制御部は、前記記憶部に記憶された入金処理の順序に基づいて、次の前記取引先識別情報に関する入金処理を行うことができるようになっている、請求項１乃至４のいずれか一項に記載の貨幣処理装置。
【請求項６】
前記取引先特定部により特定された複数の前記取引先識別情報に関する入金処理が行われる際に、ある一つの前記取引先識別情報に関する入金処理が終了すると、入金処理を行うことが可能な複数の前記取引先識別情報を表示する表示部と、
前記表示部に表示された複数の前記取引先識別情報のうち、次に入金処理を行う前記取引先識別情報を選択するための選択手段と、
を備えた、請求項１乃至４のいずれか一項に記載の貨幣処理装置。
【請求項７】
前記取引先特定部により特定された複数の前記取引先識別情報に関する入金処理が行われる際に、指定された一または複数の前記取引先識別情報に関する入金処理を省略することができるようになっている、請求項５または６記載の貨幣処理装置。
【請求項８】
入金処理の結果に係る情報を印字する印字部を更に備えた、請求項１乃至７のいずれか一項に記載の貨幣管理装置。
【請求項９】
前記制御部は、前記取引先特定部により特定された各々の前記取引先識別情報に関する入金処理が行われる度に、当該取引先識別情報に関する入金処理の結果に係る情報を印字するよう前記印字部を制御するようになっている、請求項８記載の貨幣処理装置。
【請求項１０】
前記制御部は、前記取引先特定部により特定された複数の前記取引先識別情報に関する入金処理が行われた後に、各々の前記取引先識別情報に関する入金処理の結果に係る情報を各前記取引先識別情報に対応して個別に印字するよう前記印字部を制御するようになっている、請求項８記載の貨幣処理装置。
【請求項１１】
前記制御部は、前記取引先特定部により特定された複数の前記取引先識別情報に関する入金処理が行われた後に、複数の前記取引先識別情報に関する入金処理の結果に係る情報をまとめて印字するよう前記印字部を制御するようになっている、請求項８記載の貨幣処理装置。
【請求項１２】
少なくとも貨幣の入金処理を行う貨幣処理装置であって、
操作者識別情報を入力するための操作者識別情報入力手段と、
前記操作者識別情報と、複数の取引先識別情報とを関連付けて記憶する記憶部と、
前記操作者識別情報入力手段により前記操作者識別情報が入力されたときに、前記記憶部に記憶された情報に基づいて当該操作者識別情報に関連付けられた複数の前記取引先識別情報を特定する取引先特定部と、
前記取引先特定部により特定された複数の前記取引先識別情報に関する入金処理を行うことを可能とする制御部と、
を備えた、貨幣処理装置。
【請求項１３】
前記制御部は、前記取引先特定部により特定された複数の前記取引先識別情報に関する入金処理の結果に係る情報を、各前記取引先識別情報に関連付けて管理するようになっている、請求項１２記載の貨幣処理装置。
【請求項１４】
少なくとも貨幣の入金処理を行う貨幣処理装置による貨幣処理方法であって、
持ち運び可能な記録媒体の識別情報と、複数の取引先識別情報とを関連付けて記憶部に予め記憶させておく工程と、
前記記録媒体に記録された情報の読み取りを行う工程と、
前記記録媒体に記録された情報が読み取られたときに、前記記憶部に記憶された情報に基づいて当該記録媒体に関連付けられた複数の前記取引先識別情報を特定する工程と、
特定された複数の前記取引先識別情報に関する入金処理を行うことを可能とする工程と、
を備えた、貨幣処理方法。
【発明の詳細な説明】
【技術分野】
【０００１】
本発明は、少なくとも貨幣の入金処理を行う貨幣処理装置、およびこのような貨幣処理装置による貨幣処理方法に関する。
【背景技術】
【０００２】
スーパーマーケットやショッピングモール等の商業施設において、売上金としての貨幣の入金処理を行う貨幣処理装置が例えば出納室に設置されている。このような貨幣処理装置が設置されている商業施設では、営業時間が終了した後に、レジカウンターに設けられた各貨幣釣銭機から回収された貨幣や、ショッピングモールの各テナントから回収された貨幣を貨幣処理装置に入金することにより、商業施設の店員等が売上金としての貨幣を銀行等の金融機関に持ち運ぶ必要がなくなるため防盗性を高めることができる。貨幣処理装置に入金された売上金としての貨幣は警送会社の警備員等によって当該貨幣処理装置の筐体内から収納カセットごと回収され、当該警送会社の管理本部に運搬された後、警送会社により売上金としての貨幣がまとめて銀行等の金融機関に入金されるようになる。
【０００３】
このような貨幣処理装置としては、例えば特許文献１等に開示されるものが知られている。特許文献１に開示される貨幣処理装置において、レジカウンターに設けられた各貨幣釣銭機から回収された貨幣や、ショッピングモールの各テナントから回収された貨幣の入金処理を行うにあたり、操作者はまず自己が携帯するＩＤカードのＩＤ情報をカードリーダにより読み取らせる。ここで、貨幣処理装置の記憶部には、ＩＤカードのＩＤ情報と取引先識別情報（具体的には、店舗のレジカウンターやテナントの識別情報）とが１対１で関連付けられて記憶されているため、ＩＤカードのＩＤ情報が読み取られると、このＩＤ情報に関連付けられた取引先識別情報が特定される。そして、貨幣処理装置において当該操作者により入金処理が行われると、入金処理の結果に係る情報（具体的には、入金された貨幣の金種毎の枚数や合計金額に係る情報）が取引先識別情報に関連付けられて管理されるようになる。
【先行技術文献】
【特許文献】
【０００４】
【特許文献１】特開２０１０−２２４６０９号公報
【発明の概要】
【発明が解決しようとする課題】
【０００５】
しかしながら、従来の貨幣処理装置では、各取引先（具体的には、店舗のレジカウンターやテナント）の入金処理を行う度に操作者はＩＤカードのＩＤ情報をカードリーダによって読み取らせる必要があるため、一人の操作者が複数のレジカウンターやテナントから売上金としての貨幣を回収して貨幣処理装置に入金しようとした場合、ＩＤ情報の認証が面倒であるという問題があった。すなわち、一人の操作者が複数のレジカウンターやテナント等の取引先に関する貨幣を貨幣処理装置に入金する場合に、当該操作者は各取引先に関連する複数のＩＤカードのＩＤ情報を、当該取引先に関する入金処理が行われる度にカードリーダによって読み取らせなければならないため、ＩＤカードのＩＤ情報をカードリーダによって読み取らせる作業を何度も行う必要があり作業負担が大きくなってしまう。
【０００６】
また、複数のレジカウンターやテナント等の取引先に関する売上金としての貨幣を一度に貨幣処理装置に入金することも可能であるが、この場合には、入金処理の結果に係る情報と、レジカウンターやテナント等の取引先との関連付けが行われないため、貨幣処理装置において違算が発生した場合にどの取引先が原因であるかを追跡することができないという問題がある。
【０００７】
本発明は、このような点を考慮してなされたものであり、ＩＤカード等の記録媒体に記録された情報がカードリーダ等の読取部によって読み取られたときに、この記録媒体に関連付けられた複数の取引先識別情報に関する入金処理を行うことを可能とすることにより、複数の取引先の各々に関する入金処理が行われる度に当該取引先に関連する記録媒体の情報を読取部により読み取らせる場合と比較して、操作者の作業負担を軽減することができ、また、違算が発生した場合にどの取引先が原因であるかを追跡することができる貨幣処理装置および貨幣処理方法を提供することを目的とする。
【０００８】
本発明の他の目的は、タッチパネルからなる操作表示部等の操作者識別情報入力手段によって操作者識別情報が入力されたときに、この操作者識別情報に関連付けられた複数の取引先識別情報に関する入金処理を行うことを可能とすることにより、複数の取引先の各々に関する入金処理が行われる度に操作者識別情報入力手段によって操作者識別情報を入力する場合と比較して、操作者の作業負担を軽減することができ、また、違算が発生した場合にどの取引先が原因であるかを追跡することができる貨幣処理装置を提供することにある。
【課題を解決するための手段】
【０００９】
本発明の貨幣処理装置は、少なくとも貨幣の入金処理を行う貨幣処理装置であって、持ち運び可能な記録媒体に記録された情報の読み取りを行う読取部と、前記記録媒体の識別情報と、複数の取引先識別情報とを関連付けて記憶する記憶部と、前記記録媒体に記録された情報が前記読取部によって読み取られたときに、前記記憶部に記憶された情報に基づいて当該記録媒体に関連付けられた複数の前記取引先識別情報を特定する取引先特定部と、前記取引先特定部により特定された複数の前記取引先識別情報に関する入金処理を行うことを可能とする制御部と、を備えたことを特徴とする。
【００１０】
このような貨幣処理装置によれば、ＩＤカード等の記録媒体に記録された情報がカードリーダ等の読取部によって読み取られたときに、この記録媒体に関連付けられた複数の取引先識別情報に関する入金処理を行うことを可能とすることにより、複数の取引先の各々に関する入金処理が行われる度に当該取引先に関連する記録媒体の情報を読取部により読み取らせる場合と比較して、操作者の作業負担を軽減することができ、また、違算が発生した場合にどの取引先が原因であるかを追跡することができる。
【００１１】
本発明の貨幣処理装置においては、前記制御部は、前記取引先特定部により特定された複数の前記取引先識別情報に関する入金処理の結果に係る情報を、各前記取引先識別情報に関連付けて管理するようになっていてもよい。
【００１２】
本発明の貨幣処理装置においては、前記記憶部は、前記貨幣処理装置の筐体内に設けられていてもよい。
【００１３】
あるいは、前記記憶部は、前記記録媒体に設けられていてもよい。
【００１４】
本発明の貨幣処理装置においては、前記記憶部には、複数の前記取引先識別情報を、入金処理の順序に関連付けて記憶するようになっており、前記取引先特定部により特定された複数の前記取引先識別情報に関する入金処理が行われる際に、ある一つの前記取引先識別情報に関する入金処理が終了すると、前記制御部は、前記記憶部に記憶された入金処理の順序に基づいて、次の前記取引先識別情報に関する入金処理を行うことができるようになっていてもよい。
【００１５】
あるいは、本発明の貨幣処理装置は、前記取引先特定部により特定された複数の前記取引先識別情報に関する入金処理が行われる際に、ある一つの前記取引先識別情報に関する入金処理が終了すると、入金処理を行うことが可能な複数の前記取引先識別情報を表示する表示部と、前記表示部に表示された複数の前記取引先識別情報のうち、次に入金処理を行う前記取引先識別情報を選択するための選択手段と、を備えていてもよい。
【００１６】
また、前記取引先特定部により特定された複数の前記取引先識別情報に関する入金処理が行われる際に、指定された一または複数の前記取引先識別情報に関する入金処理を省略することができるようになっていてもよい。
【００１７】
本発明の貨幣処理装置は、入金処理の結果に係る情報を印字する印字部を更に備えていてもよい。
【００１８】
この場合、前記制御部は、前記取引先特定部により特定された各々の前記取引先識別情報に関する入金処理が行われる度に、当該取引先識別情報に関する入金処理の結果に係る情報を印字するよう前記印字部を制御するようになっていてもよい。
【００１９】
あるいは、前記制御部は、前記取引先特定部により特定された複数の前記取引先識別情報に関する入金処理が行われた後に、各々の前記取引先識別情報に関する入金処理の結果に係る情報を各前記取引先識別情報に対応して個別に印字するよう前記印字部を制御するようになっていてもよい。
【００２０】
あるいは、前記制御部は、前記取引先特定部により特定された複数の前記取引先識別情報に関する入金処理が行われた後に、複数の前記取引先識別情報に関する入金処理の結果に係る情報をまとめて印字するよう前記印字部を制御するようになっていてもよい。
【００２１】
本発明の貨幣処理装置は、少なくとも貨幣の入金処理を行う貨幣処理装置であって、操作者識別情報を入力するための操作者識別情報入力手段と、前記操作者識別情報と、複数の取引先識別情報とを関連付けて記憶する記憶部と、前記操作者識別情報入力手段により前記操作者識別情報が入力されたときに、前記記憶部に記憶された情報に基づいて当該操作者識別情報に関連付けられた複数の前記取引先識別情報を特定する取引先特定部と、前記取引先特定部により特定された複数の前記取引先識別情報に関する入金処理を行うことを可能とする制御部と、を備えたことを特徴とする。
【００２２】
このような貨幣処理装置によれば、タッチパネルからなる操作表示部等の操作者識別情報入力手段によって操作者識別情報が入力されたときに、この操作者識別情報に関連付けられた複数の取引先識別情報に関する入金処理を行うことを可能とすることにより、複数の取引先の各々に関する入金処理が行われる度に操作者識別情報入力手段によって操作者識別情報を入力する場合と比較して、操作者の作業負担を軽減することができ、また、違算が発生した場合にどの取引先が原因であるかを追跡することができる。
【００２３】
上記の貨幣処理装置においては、前記制御部は、前記取引先特定部により特定された複数の前記取引先識別情報に関する入金処理の結果に係る情報を、各前記取引先識別情報に関連付けて管理するようになっていてもよい。
【００２４】
本発明の貨幣処理方法は、少なくとも貨幣の入金処理を行う貨幣処理装置による貨幣処理方法であって、持ち運び可能な記録媒体の識別情報と、複数の取引先識別情報とを関連付けて記憶部に予め記憶させておく工程と、前記記録媒体に記録された情報の読み取りを行う工程と、前記記録媒体に記録された情報が読み取られたときに、前記記憶部に記憶された情報に基づいて当該記録媒体に関連付けられた複数の前記取引先識別情報を特定する工程と、特定された複数の前記取引先識別情報に関する入金処理を行うことを可能とする工程と、を備えたことを特徴とする。
【００２５】
このような貨幣処理方法によれば、ＩＤカード等の記録媒体に記録された情報がカードリーダ等の読取部によって読み取られたときに、この記録媒体に関連付けられた複数の取引先識別情報に関する入金処理を行うことを可能とすることにより、複数の取引先の各々に関する入金処理が行われる度に当該取引先に関連する記録媒体の情報を読取部により読み取らせる場合と比較して、操作者の作業負担を軽減することができ、また、違算が発生した場合にどの取引先が原因であるかを追跡することができる。
【発明の効果】
【００２６】
本発明の貨幣処理装置および貨幣処理方法によれば、複数の取引先の各々に関する入金処理が行われる度に当該取引先に関連する記録媒体の情報を読取部により読み取らせる場合と比較して、操作者の作業負担を軽減することができ、また、違算が発生した場合にどの取引先が原因であるかを追跡することができる。
【００２７】
本発明の他の貨幣処理装置によれば、複数の取引先の各々に関する入金処理が行われる度に操作者識別情報入力手段によって操作者識別情報を入力する場合と比較して、操作者の作業負担を軽減することができ、また、違算が発生した場合にどの取引先が原因であるかを追跡することができる。
【図面の簡単な説明】
【００２８】
【図１】本発明の実施の形態による貨幣入金機が商業施設の出納室に設置されたときの構成を概略的に示す構成図である。
【図２】本発明の実施の形態による貨幣入金機が自動販売機のメンテナンス会社の営業所に設置されたときの構成を概略的に示す構成図である。
【図３】本発明の実施の形態による貨幣入金機の外観を示す斜視図である。
【図４】図３に示す貨幣入金機における硬貨入金装置の内部を側方から見たときの構成を示す側面図である。
【図５】図４に示す硬貨入金装置の内部における上部領域を上方から見たときの構成を示す上面図である。
【図６】図３に示す貨幣入金機における紙幣入金装置の内部を側方から見たときの構成を示す側面図である。
【図７】図３に示す貨幣入金機の制御系の構成を示す機能ブロック図である。
【図８】店長権限カードおよび通常の店員用カードの各々におけるＩＤ情報と設定レジ（取引先識別情報）との関係を示す表である。
【図９】（ａ）は、図３に示す貨幣入金機における入金処理の全体の動作を示すフローチャートであり、（ｂ）は、（ａ）に示すフローチャートにおける１取引先分の入金処理の動作を示すフローチャートである。
【図１０】（ａ）〜（ｇ）は、それぞれ、図３に示す貨幣入金機の操作表示部に表示される表示画面を示す図である。
【発明を実施するための形態】
【００２９】
以下、図面を参照して本発明の実施の形態について説明する。本実施の形態による貨幣入金機は、硬貨や紙幣等の貨幣の入金処理や計数処理を行うものであり、このような貨幣入金機はスーパーマーケットやショッピングモール等の商業施設における出納室に設置されたり、自動販売機のメンテナンス会社の営業所に設置されたりするようになっている。図１乃至図１０は、本実施の形態による貨幣入金機を示す図である。このうち、図１は、本実施の形態による貨幣入金機が商業施設の出納室に設置されたときの構成を概略的に示す構成図であり、図２は、本実施の形態による貨幣入金機が自動販売機のメンテナンス会社の営業所に設置されたときの構成を概略的に示す構成図である。また、図３は、本実施の形態による貨幣入金機の外観を示す斜視図であり、図４および図５は、図３に示す貨幣入金機における硬貨入金装置の内部の構成を示す側面図や上面図であり、図６は、図３に示す貨幣入金機における紙幣入金装置の内部の構成を示す側面図である。また、図７は、図３に示す貨幣入金機の制御系の構成を示す機能ブロック図である。また、図８は、店長権限カードおよび通常の店員用カードの各々におけるＩＤ情報と設定レジ（取引先識別情報）との関係を示す表である。また、図９（ａ）は、図３に示す貨幣入金機における入金処理の全体の動作を示すフローチャートであり、図９（ｂ）は、図９（ａ）に示すフローチャートにおける１取引先分の入金処理の動作を示すフローチャートである。また、図１０（ａ）〜（ｇ）は、それぞれ、図３に示す貨幣入金機の操作表示部に表示される表示画面を示す図である。
【００３０】
まず、本実施の形態による貨幣入金機１がスーパーマーケットやショッピングモール等の商業施設１００に設置される場合について図１を用いて説明する。スーパーマーケットやショッピングモール等の商業施設１００において、顧客が立ち入ることができる売場領域１０１には、様々な商品が陳列される商品棚１０２や、商品の精算時に店員が顧客から商品の代金を受け取るためのレジカウンター１０４が設置されている。また、当該商業施設１００において、顧客が立ち入ることができない出納室１１０には、本実施の形態による貨幣入金機１が設置されている。また、各々のレジカウンター１０４には、店員が顧客から受け取った商品の代金としての貨幣の入金処理および釣銭としての貨幣の出金処理を行うことができる貨幣釣銭機１０６や、貨幣釣銭機１０６に通信可能に接続され、顧客が購入した商品に係る情報や貨幣釣銭機１０６に収納されている貨幣に係る情報等の管理を行うＰＯＳレジスタ（図示せず）が設けられている。このような商業施設１００では、営業時間が終了した後に（営業時間中の場合もある）、レジカウンター１０４に設けられた各貨幣釣銭機１０６から回収された貨幣を貨幣入金機１に入金することにより（図１における二点鎖線の矢印参照）、商業施設１００の店員等が売上金としての貨幣を銀行等の金融機関に持ち運ぶ必要がなくなるため防盗性を高めることができる。貨幣入金機１に入金された売上金としての貨幣は警送会社の警備員等によって当該貨幣入金機１の筐体１ａ内から後述する硬貨収納カセット４０や紙幣収納カセット７０ごと回収され、当該警送会社の管理本部に運搬された後、警送会社により売上金としての貨幣がまとめて銀行等の金融機関に入金されるようになる。また、このような商業施設１００において、売場領域１０１以外にテナント１２０が設置されている場合には、営業時間が終了した後に、テナント１２０から回収された貨幣も出納室１１０に設けられた貨幣入金機１に入金されるようになる。
【００３１】
一方、本実施の形態による貨幣入金機１が自動販売機のメンテナンス会社の営業所２００に設置される場合について図２を用いて説明する。自動販売機のメンテナンス会社の係員は、商品が積まれたトラック２０４により複数の自動販売機２０２を巡回する際に、各自動販売機２０２において商品や釣銭準備金としての貨幣の補充を行うとともに各自動販売機２０２から売上金としての貨幣を回収し、複数の自動販売機２０２から回収された貨幣を、営業所２００に設置された本実施の形態による貨幣入金機１に入金する。このことにより、自動販売機のメンテナンス会社の係員が各自動販売機２０２から回収された売上金としての貨幣を銀行等の金融機関に持ち運ぶ必要がなくなるため防盗性を高めることができる。
【００３２】
次に、本実施の形態による貨幣入金機１の具体的な構成について図３乃至図７を用いて説明する。図３は、本実施の形態による貨幣入金機１の外観を示す斜視図である。図３に示すように、本実施の形態による貨幣入金機１は略直方体形状の筐体１ａを有している。また、貨幣入金機１の筐体１ａを手前側から見て当該貨幣入金機１の左側部分には硬貨の入金処理や計数処理を行う硬貨入金装置１０が設けられており、一方、貨幣入金機１の筐体１ａを手前側から見て当該貨幣入金機１の右側部分には紙幣の入金処理や計数処理を行う紙幣入金装置５０が設けられている。
【００３３】
まず、本実施の形態の貨幣入金機１における硬貨入金装置１０の構成について図４および図５を用いて説明する。上述したように、図４は、硬貨入金装置１０の内部を側方から見たときの構成を示す側面図であり、図５は、図４に示す硬貨入金装置１０の内部における上部領域を上方から見たときの構成を示す上面図である。図４および図５に示すように、硬貨入金装置１０は、筐体１ａの外部から投入された硬貨を当該筐体１ａの内部に１枚ずつ繰り出すための繰出部１２と、繰出部１２により筐体１ａの内部に繰り出された硬貨を搬送するための搬送部１４と、搬送部１４により搬送される硬貨の金種、真偽、正損等の識別を行う識別部１６とを備えている。
【００３４】
図４および図５に示すように、繰出部１２は、水平状態となるよう配置された円盤形状の回転盤を有しており、当該回転盤が回転することにより、筐体１ａの外部から投入されこの回転盤の上に載置された硬貨が１枚ずつ当該回転盤から搬送部１４に繰り出されるようになっている。また、図３に示すように、筐体１ａの上面には硬貨の投入口の開閉を行うシャッタ１２ａが設けられており、当該シャッタ１２ａが開かれたときに操作者は筐体１ａの外部から繰出部１２に硬貨を投入することができるようになっている。このようなシャッタ１２ａは操作者が手動で開閉を行うことができるようになっている。
【００３５】
また、搬送部１４は、図５において矢印で示す方向に循環移動を行う無端状の搬送ベルト１４ａと、当該搬送ベルト１４ａが張架される複数のプーリ１４ｂ、１４ｃとを有しており、複数のプーリ１４ｂ、１４ｃのうちある一つのプーリ１４ｂには当該プーリ１４ｂを回転駆動させる駆動モータ（図示せず）が設けられている。また、無端状の搬送ベルト１４ａには、当該搬送ベルト１４ａの長手方向に沿って複数の突起が間隔を空けて設けられており、各突起により硬貨が１枚ずつ押動されて搬送されるようになっている。このような搬送部１４において、駆動モータがプーリ１４ｂを回転駆動させることにより無端状の搬送ベルト１４ａが図５において矢印で示す方向に循環移動し、このことにより繰出部１２から繰り出された硬貨が１枚ずつ搬送ベルト１４ａにより搬送されるようになる。
【００３６】
また、搬送部１４には、識別部１６による硬貨の識別結果に基づいて硬貨の振り分けを行う振分機構１８が設けられている。具体的には、振分機構１８は、識別部１６により正常な硬貨であると識別された硬貨を当該搬送部１４から分岐させて後述する一時保留部２６に送るようになっている。より詳細に説明すると、搬送部１４において硬貨が搬送される搬送面において振分機構１８の近傍には開口が設けられている。そして、振分機構１８が搬送部１４における硬貨の搬送面から上方に突出した突出位置に移動すると、搬送部１４の搬送ベルト１４ａにより搬送される硬貨が当該開口を介して搬送部１４から下方に落下して後述する一時保留部２６に送られるようになる。また、搬送部１４の下流側端部の近傍には開口２０が設けられており、振分機構１８により搬送部１４から分岐されなかった硬貨、すなわち識別部１６により正常な硬貨ではないと識別された硬貨や識別部１６により識別することができなかった硬貨がリジェクト硬貨として当該開口２０から下方に落下し、後述するリジェクト部２８に送られるようになっている。
【００３７】
図４に示すように、硬貨入金装置１０において搬送部１４の下方には一時保留部２６およびリジェクト部２８がそれぞれ設けられている。ここで、一時保留部２６は、硬貨入金装置１０の奥行き方向（すなわち、図４における左右方向）において移動可能となっており、図４において実線や二点鎖線で示される３箇所の位置に移動することができるようになっている。また、一時保留部２６は、その頂部および底部に開口が設けられた略直方体形状の枠体を有している。また、図４における中央位置にある一時保留部２６と、搬送部１４における硬貨の搬送面において振分機構１８の近傍に設けられた開口との間には一時保留用シュート２２が設けられており、振分機構１８により振り分けられた硬貨は一時保留用シュート２２を通って一時保留部２６に送られるようになっている。また、リジェクト部２８と、搬送部１４の下流側端部の近傍に設けられた開口２０との間にはリジェクト用シュート２４が設けられており、開口２０から落下したリジェクト硬貨はリジェクト用シュート２４を通ってリジェクト部２８に送られるようになっている。
【００３８】
図３に示すように、リジェクト部２８は貨幣入金機１の筐体１ａの前面側から操作者がアクセスすることができるようになっており、このリジェクト部２８にリジェクト硬貨が送られると、操作者はリジェクト部２８からリジェクト硬貨を取り出すことができるようになっている。
【００３９】
また、硬貨入金装置１０の奥行き方向において手前側に位置する一時保留部２６（すなわち、図４において左側に位置する一時保留部２６）の下方には硬貨返却箱３０が設けられており、一時保留部２６が図４における中央の位置から左側の位置に移動すると、当該一時保留部２６に一時的に保留されている硬貨がこの一時保留部２６から自重により落下して硬貨返却箱３０に送られるようになっている。このような硬貨返却箱３０は筐体１ａから手前側に引き出し可能となっている。具体的には、硬貨返却箱３０を筐体１ａの内部にロックするためのロック部３１（図７参照）が設けられており、当該ロック部３１によるロック状態が解除されると、硬貨返却箱３０を筐体１ａから手前側に引き出すことができるようになる。また、図３に示すように、硬貨返却箱３０の前面には、操作者が把持するための把持部分３０ａが設けられており、ロック部３１によるロック状態が解除された後、操作者が把持部分３０ａを把持して硬貨返却箱３０を筐体１ａから手前側に引き出すことにより、硬貨返却箱３０に収納されている硬貨を筐体１ａの外部に返却することができるようになる。
【００４０】
また、硬貨入金装置１０の内部における下部領域には硬貨収納カセット４０が収容されており、硬貨入金装置１０の奥行き方向において奥側に位置する一時保留部２６（すなわち、図４において右側に位置する一時保留部２６）と、硬貨収納カセット４０との間には収納用シュート３２が設けられている。このことにより、一時保留部２６が図４における中央の位置から右側の位置に移動すると、当該一時保留部２６に一時的に保留されている硬貨がこの一時保留部２６から自重により落下して、収納用シュート３２を介して硬貨収納カセット４０に送られ、当該硬貨収納カセット４０に収納されるようになる。なお、硬貨収納カセット４０は筐体１ａの外部に取り出すことができるようになっている。具体的には、図３に示すように貨幣入金機１の筐体１ａの前面における下部領域には、警送会社の警備員等の所定の権限を有する者しか開くことができない扉１ｂが設けられており、この扉１ｂを開くことにより硬貨収納カセット４０を筐体１ａの外部に取り出すことができるようになる。警送会社の警備員等により筐体１ａの外部に取り出された硬貨収納カセット４０は、警送会社の管理本部や現金処理センターに運搬され、硬貨収納カセット４０から取り出された硬貨がこの管理本部等で管理されるようになる。
【００４１】
次に、本実施の形態の貨幣入金機１における紙幣入金装置５０の構成について図６を用いて説明する。上述したように、図６は、紙幣入金装置５０の内部を側方から見たときの構成を示す側面図である。図６に示すように、紙幣入金装置５０は、筐体１ａの外部から紙幣が束状態で投入される投入部５２と、投入部５２に投入された紙幣を１枚ずつ筐体１ａの内部に繰り出すための繰出機構５４と、繰出機構５４により筐体１ａの内部に繰り出された紙幣を搬送するための搬送部５６と、搬送部５６により搬送される紙幣の金種、真偽、正損等の識別を行う識別部５８とを備えている。また、図３に示すように、筐体１ａの上面には紙幣の投入口の開閉を行うシャッタ５２ａが設けられており、当該シャッタ５２ａが開かれたときに操作者は筐体１ａの外部から投入部５２に紙幣の束を投入することができるようになっている。このようなシャッタ５２ａは操作者が手動で開閉を行うことができるようになっている。
【００４２】
また、搬送部５６における識別部５８よりも下流側の箇所には、識別部５８により識別された紙幣をリジェクト部６２および一時保留部６４のうちいずれか一方に振り分ける分岐部６０が設けられている。具体的には、分岐部６０において、識別部５８により正常な紙幣であると識別された紙幣は一時保留部６４に送られるよう振り分けられ、一方、識別部５８により正常な紙幣ではないと識別された紙幣や識別部５８により識別することができなかった紙幣はリジェクト紙幣としてリジェクト部６２に送られるよう振り分けられるようになっている。
【００４３】
図３に示すように、リジェクト部６２は貨幣入金機１の筐体１ａの前面側から操作者がアクセスすることができるようになっており、このリジェクト部６２にリジェクト紙幣が送られると、操作者はリジェクト部６２からリジェクト紙幣を取り出すことができるようになっている。
【００４４】
また、図６に示すように、紙幣入金装置５０の内部における下部領域において一時保留部６４の真下の位置には紙幣収納カセット７０が収容されている。そして、一時保留部６４に紙幣が一時的に保留された後、入金確定の指令が貨幣入金機１の本体制御部８０（後述）に与えられると、一時保留部６４から紙幣収納カセット７０に紙幣が一括して送られ、この紙幣収納カセット７０に収納されるようになっている。なお、紙幣収納カセット７０は筐体１ａの外部に取り出すことができるようになっている。具体的には、上述したように、貨幣入金機１の筐体１ａの前面における下部領域には扉１ｂが設けられており、この扉１ｂを開くことにより紙幣収納カセット７０を筐体１ａの外部に取り出すことができるようになる。警送会社の警備員等により筐体１ａの外部に取り出された紙幣収納カセット７０は、警送会社の管理本部や現金処理センターに運搬され、紙幣収納カセット７０から取り出された紙幣がこの管理本部等で管理されるようになる。
【００４５】
また、図３に示すように、貨幣入金機１の筐体１ａの前面における一時保留部６４の手前側の位置には扉１ｃが設けられているとともに、当該扉１ｃを閉状態にロックするための扉ロック部６５（図７参照）が設けられている。そして、当該扉ロック部６５による扉１ｃのロック状態が解除されると、操作者は扉１ｃを手前右側に開いて一時保留部６４の内部にアクセスすることができるようになる。このようにして、一時保留部６４に紙幣が一時的に保留された後、返却の指令が貨幣入金機１の本体制御部８０（後述）に与えられると、扉ロック部６５による扉１ｃのロック状態が解除され、操作者は扉１ｃを開くことにより一時保留部６４の内部から紙幣を取り出すことができるようになり、よって筐体１ａの外部に紙幣が返却されるようになる。そして、操作者が手動で扉１ｃを閉じると、扉ロック部６５により扉１ｃが再び閉状態にロックされるようになる。なお、一時保留部６４に一時的に保留された紙幣を紙幣収納カセット７０に収納させる際には、扉ロック部６５による扉１ｃの閉状態のロックが維持されたままとなる。
【００４６】
次に、本実施の形態による貨幣入金機１の制御系の構成について図７を用いて説明する。図７に示すように、本実施の形態による貨幣入金機１には、当該貨幣入金機１の各構成部材の制御を行う本体制御部８０が設けられている。また、硬貨入金装置１０には当該硬貨入金装置１０の各構成部材（具体的には、繰出部１２、搬送部１４、識別部１６、振分機構１８、一時保留部２６、ロック部３１等）に接続された硬貨制御部８１が設けられており、当該硬貨制御部８１により硬貨入金装置１０の各構成部材が制御されるようになっている。また、紙幣入金装置５０には当該紙幣入金装置５０の各構成部材（具体的には、繰出機構５４、搬送部５６、識別部５８、分岐部６０、一時保留部６４、扉ロック部６５等）に接続された紙幣制御部８２が設けられており、当該紙幣制御部８２により紙幣入金装置５０の各構成部材が制御されるようになっている。図７に示すように、硬貨入金装置１０に設けられた硬貨制御部８１や紙幣入金装置５０に設けられた紙幣制御部８２はそれぞれ本体制御部８０に通信可能に接続されている。
【００４７】
また、図３に示すように、貨幣入金機１の筐体１ａの上面には、プリンタ等の印字部８４、タッチパネル等の２つの操作表示部８６、８８および操作者が携帯するＩＤカード等の記録媒体９２に記憶された情報（具体的には、ＩＤカードのＩＤ情報等）を読み取るための磁気カードリーダ等の読取部９０がそれぞれ設けられており、これらの印字部８４、操作表示部８６、８８、読取部９０はそれぞれ本体制御部８０に通信可能に接続されている。印字部８４は、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報をレシートに印字するようになっている。また、操作表示部８６、８８には、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報が表示されるようになっている。また、操作者は、操作表示部８６、８８を操作することにより本体制御部８０に様々な指示を与えることができるようになっている。また、操作者が携帯するＩＤカード等の記録媒体９２には、ＩＤカードのＩＤ情報等の様々な情報を記憶する記憶部９２ａが設けられており、この記録媒体９２を磁気カードリーダ等の読取部９０に通すと、当該記憶部９２ａに記憶された情報が読取部９０により読み取られるようになっている。具体的には、操作者が記録媒体９２を読取部９０に通すことにより、当該操作者の権限を認証することができるようになり、所定の権限を有する操作者のみが貨幣入金機１において貨幣の入金処理や計数処理、回収処理を行うことができるようになる。
【００４８】
また、図７に示すように、本体制御部８０には記憶部９４が通信可能に接続されている。このような記憶部９４は貨幣入金機１の筐体１ａの内部に設けられており、当該記憶部９４には、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報が記憶されるようになっている。
【００４９】
また、本実施の形態では、記憶部９２ａには、記録媒体９２の識別情報（具体的には、ＩＤカードのＩＤ情報）と、複数の取引先識別情報とが関連付けて記憶されるようになっている。ここで、取引先識別情報とは、本実施の形態による貨幣入金機１が商業施設１００の出納室１１０に設置される場合には、当該商業施設１００におけるレジカウンター１０４やテナント１２０の識別情報（具体的には、レジカウンター１０４やテナント１２０の識別番号）のことをいう。また、本実施の形態による貨幣入金機１が自動販売機のメンテナンス会社の営業所２００に設置される場合には、自動販売機２０２の識別情報（具体的には、自動販売機２０２の識別番号）が取引先識別情報となる。また、図７に示すように、本体制御部８０には取引先特定部９６が通信可能に接続されており、記録媒体９２に記録された情報が読取部９０により読み取られたときに、この記録媒体９２の記憶部９２ａに記憶された情報に基づいて、当該記録媒体９２に関連付けられた複数の取引先識別情報が取引先特定部９６により特定されるようになっている。このような取引先特定部９６の機能の詳細については後述する。
【００５０】
また、本体制御部８０には通信インターフェース部９８が通信可能に接続されており、本体制御部８０は、この通信インターフェース部９８により、貨幣入金機１の外部に設けられた上位端末等の外部装置と信号の送受信を行うことができるようになっている。
【００５１】
次に、このような構成からなる本実施の形態の貨幣入金機１の動作（具体的には、硬貨入金装置１０や紙幣入金装置５０において硬貨や紙幣の入金処理が行われるときの動作）について説明する。
【００５２】
図１に示すような商業施設１００において売場領域１０１に設けられた各貨幣釣銭機１０６から回収された貨幣やテナント１２０から回収された貨幣が出納室１１０に運搬されると（図１における二点鎖線の矢印参照）、当該貨幣のうち硬貨は貨幣入金機１の硬貨入金装置１０に入金されるとともに紙幣は貨幣入金機１の紙幣入金装置５０に入金される。また、図２に示すように、本実施の形態による貨幣入金機１が自動販売機のメンテナンス会社の営業所２００に設置される場合には、複数の自動販売機２０２から回収された貨幣が営業所２００に運搬されると、当該貨幣のうち硬貨は貨幣入金機１の硬貨入金装置１０に入金されるとともに紙幣は貨幣入金機１の紙幣入金装置５０に入金される。
【００５３】
以下、硬貨入金装置１０において硬貨の入金処理が行われるときの動作について説明する。操作者が操作表示部８６、８８により入金処理開始の指令を本体制御部８０に与えた後、貨幣入金機１の筐体１ａの上面に設けられたシャッタ１２ａを当該操作者が手動で開くことによりこの操作者は筐体１ａの外部から硬貨を繰出部１２に投入することができるようになる。繰出部１２に投入された硬貨は当該繰出部１２により１枚ずつ筐体１ａの内部に繰り出され、搬送部１４により搬送される。この際に、識別部１６により硬貨の金種、真偽、正損等の識別が行われる。識別部１６により正常な硬貨であると識別された硬貨は振分機構１８により搬送部１４から分岐させられ、一時保留用シュート２２を介して一時保留部２６に送られ、この一時保留部２６に一時的に保留される。この際に、一時保留部２６は図４における中央の位置に維持される。また、識別部１６により正常な硬貨ではないと識別された硬貨や識別部１６により識別することができなかった硬貨はリジェクト硬貨として開口２０から落下し、リジェクト用シュート２４を介してリジェクト部２８に送られる。上述したように、リジェクト部２８は貨幣入金機１の筐体１ａの前面側から操作者がアクセスすることができるようになっているため、リジェクト部２８にリジェクト硬貨が送られると、操作者はリジェクト部２８からリジェクト硬貨を取り出すことができるようになる。
【００５４】
繰出部１２に投入された硬貨が全て当該繰出部１２から筐体１ａの内部に繰り出されて一時保留部２６またはリジェクト部２８に送られると、操作表示部８６、８８には入金確定の承認を求めるメッセージが表示される。そして、操作者が入金確定の指令を操作表示部８６、８８により本体制御部８０に入力すると、一時保留部２６は図４における中央の位置から右側の位置に移動し、この一時保留部２６に一時的に保留されている硬貨が当該一時保留部２６から自重により落下し、収納用シュート３２を介して硬貨収納カセット４０に送られ、この硬貨収納カセット４０に収納されるようになる。一方、操作者が入金確定の指令の代わりに返却の指令を操作表示部８６、８８により本体制御部８０に入力すると、一時保留部２６は図４における中央の位置から左側の位置に移動し、この一時保留部２６に一時的に保留された硬貨が当該一時保留部２６から自重により落下して硬貨返却箱３０に送られるようになる。その後、操作者が把持部分３０ａを把持して硬貨返却箱３０を筐体１ａから手前側に引き出すことにより、硬貨返却箱３０に収納されている硬貨が筐体１ａの外部に返却される。
【００５５】
次に、紙幣入金装置５０において紙幣の入金処理が行われるときの動作について説明する。操作者が操作表示部８６、８８により入金処理開始の指令を本体制御部８０に与えた後、貨幣入金機１の筐体１ａの上面に設けられたシャッタ５２ａを当該操作者が手動で開くことによりこの操作者は筐体１ａの外部から紙幣の束を投入部５２に投入することができるようになる。投入部５２に紙幣の束が投入されると、シャッタ５２ａを操作者が手動で閉じた後に繰出機構５４によって紙幣が１枚ずつ筐体１ａの内部に繰り出され、搬送部５６により搬送される。この際に、識別部５８により紙幣の金種、真偽、正損等の識別が行われる。識別部５８により正常な紙幣であると識別された硬貨は分岐部６０により一時保留部６４に送られ、この一時保留部６４に一時的に保留される。また、識別部５８により正常な紙幣ではないと識別された紙幣や識別部５８により識別することができなかった紙幣はリジェクト紙幣としてリジェクト部６２に送られる。上述したように、リジェクト部６２は貨幣入金機１の筐体１ａの前面側から操作者がアクセスすることができるようになっているため、リジェクト部６２にリジェクト紙幣が送られると、操作者はリジェクト部６２からリジェクト紙幣を取り出すことができるようになる。
【００５６】
投入部５２に投入された紙幣が全て繰出機構５４により筐体１ａの内部に繰り出されて一時保留部６４またはリジェクト部６２に送られると、操作表示部８６、８８には入金確定の承認を求めるメッセージが表示される。そして、操作者が入金確定の指令を操作表示部８６、８８により本体制御部８０に入力すると、一時保留部６４に一時的に保留された紙幣が当該一時保留部６４から自重により落下して紙幣収納カセット７０に送られ、この紙幣収納カセット７０に収納されるようになる。一方、操作者が入金確定の指令の代わりに返却の指令を操作表示部８６、８８により本体制御部８０に入力すると、一時保留部６４は筐体１ａの前面側から当該筐体１ａの外部に引き出し可能となる。その後、操作者が一時保留部６４を筐体１ａから手前側に引き出すことにより、一時保留部６４に収納されている紙幣が筐体１ａの外部に返却される。なお、硬貨の入金処理と紙幣の入金処理は同時並行的に行われ、単一の入金確定の指令あるいは返却の指令によって収納動作または返却動作が行われる。
【００５７】
本実施の形態による貨幣入金機１では、上述したように、記録媒体９２の記憶部９２ａには、記録媒体９２の識別情報（具体的には、ＩＤカードのＩＤ情報）と、複数の取引先識別情報とが関連付けて記憶されるようになっており、記録媒体９２に記録された情報（具体的には、記憶部９２ａに記憶された情報）が読取部９０により読み取られたときに、記憶部９２ａに記憶された情報に基づいて、記録媒体９２に関連付けられた複数の取引先識別情報が取引先特定部９６により特定されるようになっている。そして、本体制御部８０は、取引先特定部９６により特定された複数の取引先識別情報に関する入金処理を行うことができるようになっている。また、本体制御部８０は、取引先特定部９６により特定された複数の取引先識別情報に関する入金処理の結果に係る情報（具体的には、入金処理が行われた貨幣の金種毎の枚数や合計金額に係る情報）を、各取引先識別情報に関連付けて管理するようになっている。また、記録媒体９２の記憶部９２ａには、複数の取引先識別情報を、入金処理の順序に関連付けて記憶するようになっており、取引先特定部９６により特定された複数の取引先識別情報に関する入金処理が行われる際に、ある一つの取引先識別情報に関する入金処理が終了すると、本体制御部８０は、記憶部９２ａに記憶された情報（具体的には、各々の取引先識別情報に関連付けられた入金処理の順序）に基づいて、次の取引先識別情報に関する入金処理を行うことができるようになっている。このような複数の取引先識別情報に関する入金処理が行われる際の動作について以下に説明する。なお、以下の説明では、本実施の形態による貨幣入金機１が商業施設１００の出納室１１０に設置される場合について述べるが、本実施の形態による貨幣入金機１が自動販売機のメンテナンス会社の営業所２００に設置される場合も同様の動作が行われるようになる。
【００５８】
図８は、店長権限カードおよび通常の店員用カードの各々におけるＩＤ情報と設定レジ（取引先識別情報）との関係を示す表である。図８に示すように、通常の店員用のＩＤカードでは、ＩＤカードのＩＤ情報と取引先識別情報（具体的には、レジカウンター１０４の識別情報）とが１対１で関連付けられている。より詳細には、通常の店員用のＩＤカードとしての記録媒体９２の記憶部９２ａには、当該ＩＤカードのＩＤ情報に対応する１つのレジカウンター１０４の取引先識別情報が記憶されている。そして、レジカウンター１０４に設けられた貨幣釣銭機１０６から回収された売上金としての貨幣を通常の店員が貨幣入金機１に入金しようとする際に、当該店員が自己のＩＤカードを磁気カードリーダ等の読取部９０により読み取らせた後に貨幣の入金処理を行うと、当該貨幣入金機１の本体制御部８０において、入金処理の結果に係る情報（具体的には、入金処理が行われた貨幣の金種毎の枚数や合計金額に係る情報）が取引先識別情報（具体的には、レジカウンター１０４の識別情報）に関連付けられて管理されるようになる。
【００５９】
一方、店長権限カードでは、１つのＩＤカードのＩＤ情報に対して複数の取引先識別情報（具体的には、複数のレジカウンター１０４の識別情報）が関連付けられている。より詳細には、店長権限カードとしての記録媒体９２の記憶部９２ａには、当該ＩＤカードのＩＤ情報に対応する複数のレジカウンター１０４の取引先識別情報が記憶されている。また、図８に示すように、店長権限カードとしての記録媒体９２の記憶部９２ａには、複数の取引先識別情報が入金処理の順序に関連付けられて記憶されている。そして、レジカウンター１０４に設けられた貨幣釣銭機１０６から回収された売上金としての貨幣を店長が貨幣入金機１に入金しようとする際に、当該店長が自己のＩＤカードを磁気カードリーダ等の読取部９０により読み取らせた後に貨幣の入金処理を行うと、本体制御部８０は、複数の取引先識別情報に関する入金処理を行うことができるようになる。この際に、記録媒体９２の記憶部９２ａに記憶された入金処理の順序に従って、複数の取引先識別情報の各々に関連する入金処理が順番に行われるようになる。このような動作について図９（ａ）（ｂ）に示すフローチャートを用いて説明する。なお、図９（ａ）は、図３に示す貨幣入金機１における入金処理の全体の動作を示すフローチャートであり、図９（ｂ）は、図９（ａ）に示すフローチャートにおける１取引先分の入金処理の動作を示すフローチャートである。
【００６０】
貨幣入金機１が待機状態となっているときには、当該貨幣入金機１の操作表示部８６、８８には図１０（ａ）に示すような表示画面が表示されている。このような表示画面において、複数の処理内容（具体的には、計数処理、入金処理、回収処理）のうちどの処理内容を行うかを操作者は選択することができるようになる。ここで、店長権限カードを保持する店長が、複数のレジカウンター１０４の各々に設けられた複数の貨幣釣銭機１０６から回収された売上金を貨幣入金機１に一度に入金しようとした場合において、図１０（ａ）に示すような表示画面において「入金」ボタンを押下すると（ＳＴＥＰ１）、操作表示部８６、８８における表示画面が図１０（ｂ）に示す画面に切り替わり、ＩＤカード等の記録媒体９２の認証が読取部９０により行われる（ＳＴＥＰ２）。ここで、店長が店長権限カードを磁気カードリーダ等の読取部９０により読み取らせた場合には（ＳＴＥＰ３の「ＹＥＳ」）、本体制御部８０に対して入金処理開始の指令が与えられ、貨幣入金機１において１番目の取引先識別情報に関する貨幣の入金処理（具体的には、１Ｆ−１レジに関する貨幣の入金処理）を行うことができるようになる（ＳＴＥＰ４）。このような１取引先分の入金処理について図９（ｂ）のフローチャートを用いて具体的に説明する。
【００６１】
店長が店長権限カードを磁気カードリーダ等の読取部９０により読み取らせることによって本体制御部８０に対して入金処理開始の指令が与えられると、操作表示部８６、８８における表示画面が図１０（ｃ）に示す画面に切り替わる。そして、硬貨入金装置１０のシャッタ１２ａを操作者が手動で開くことにより筐体１ａの外部から繰出部１２に硬貨を投入することが可能となり、また、紙幣入金装置５０のシャッタ５２ａを操作者が手動で開くことにより筐体１ａの外部から投入部５２に紙幣を投入することが可能となる。硬貨入金装置１０の繰出部１２や紙幣入金装置５０の投入部５２に硬貨や紙幣が投入されると（ＳＴＥＰ１０１）、投入された硬貨や紙幣は筐体１ａの内部に繰り出され、識別部１６、５８により計数された後、硬貨入金装置１０の一時保留部２６や紙幣入金装置５０の一時保留部６４に一時的に保留されるようになる（ＳＴＥＰ１０２）。また、硬貨入金装置１０の繰出部１２や紙幣入金装置５０の投入部５２に投入された硬貨や紙幣が硬貨入金装置１０の一時保留部２６や紙幣入金装置５０の一時保留部６４に保留されると、操作表示部８６、８８には、図１０（ｄ）に示すように、識別部１６、５８による硬貨や紙幣の識別結果（具体的には、識別部１６、５８により識別された硬貨や紙幣の計数金額）が表示される。その後、図１０（ｄ）に示すような操作表示部８６、８８の表示画面において「確定」キーが押下されると（ＳＴＥＰ１０３の「ＹＥＳ」）、硬貨入金装置１０の一時保留部２６や紙幣入金装置５０の一時保留部６４に一時的に保留されている硬貨や紙幣が硬貨収納カセット４０や紙幣収納カセット７０に収納され（ＳＴＥＰ１０４）、１番目の取引先識別情報に関する貨幣の入金処理が完了する。本体制御部８０は、１番目の取引先識別情報に関する入金処理の結果に係る情報を、この取引先識別情報に関連付けて管理する。具体的には、１番目の取引先識別情報に関する入金処理の結果に係る情報が、この取引先識別情報に関連付けられて記憶部９４に記憶されたり操作表示部８６、８８に表示されたりするようになる。また、図１０（ｄ）に示すような操作表示部８６、８８の表示画面において「確定」キーが押下されると、１番目の取引先識別情報に関する入金処理の結果に係る情報が印字部８４によりレシートに印字される（ＳＴＥＰ１０５）。また、図１０（ｄ）に示すような操作表示部８６、８８の表示画面において「確定」キーが押下されたときに、１番目の取引先識別情報に関する入金処理の結果に係る情報が通信インターフェース部９８により上位端末等の外部装置に送信されるようになっていてもよい。一方、図１０（ｄ）に示すような操作表示部８６、８８の表示画面において「返却」キーが押下されると（ＳＴＥＰ１０３の「ＮＯ」）、硬貨入金装置１０の一時保留部２６や紙幣入金装置５０の一時保留部６４に一時的に保留されている硬貨や紙幣が筐体１ａの外部に返却される（ＳＴＥＰ１０６）。
【００６２】
また、１番目の取引先識別情報に関する貨幣の入金処理が完了すると、操作表示部８６、８８には図１０（ｅ）に示すような表示画面が表示されるようになる。そして、店長が２番目以降の取引先識別情報に関する貨幣の入金処理（具体的には、１Ｆ−２レジ以降に関する貨幣の入金処理）を行う場合には、図１０（ｅ）に示すような表示画面において「継続」ボタンを押下する（ＳＴＥＰ５の「ＹＥＳ」）。すると、本体制御部８０は、２番目の取引先識別情報に関する貨幣の入金処理（具体的には、１Ｆ−２レジに関する貨幣の入金処理）を行うようになる。具体的には、操作表示部８６、８８には図１０（ｆ）に示すような表示画面が表示されるようになる。そして、硬貨入金装置１０のシャッタ１２ａを操作者が手動で開くことにより筐体１ａの外部から繰出部１２に硬貨を投入することが可能となり、また、紙幣入金装置５０のシャッタ５２ａを操作者が手動で開くことにより筐体１ａの外部から投入部５２に紙幣を投入することが可能となる。このようにして、２番目の取引先識別情報に関する貨幣の入金処理を上記の１番目の取引先識別情報に関する貨幣の入金処理と同様に行うことができるようになり、２番目の取引先識別情報に関する貨幣の入金処理が完了すると、本体制御部８０は、２番目の取引先識別情報に関する入金処理の結果に係る情報を、この取引先識別情報に関連付けて管理するようになる。また、２番目の取引先識別情報に関する貨幣の入金処理が完了すると、２番目の取引先識別情報に関する入金処理の結果に係る情報が印字部８４によりレシートに印字される。また、２番目の取引先識別情報に関する貨幣の入金処理が完了したときに、２番目の取引先識別情報に関する入金処理の結果に係る情報が通信インターフェース部９８により上位端末等の外部装置に送信されるようになっていてもよい。
【００６３】
２番目の取引先識別情報に関する貨幣の入金処理が完了すると、操作表示部８６、８８には再び図１０（ｃ）や図１０（ｆ）と同様の表示画面が表示されるようになり、３番目以降の取引先識別情報に関する貨幣の入金処理を引き続き同様に行うことができるようになる。そして、一連の入金処理が終了すると、操作表示部８６、８８には図１０（ｇ）に示す表示画面が表示され、「終了」キーを押すことで作業を終了することができるようになる。
【００６４】
なお、貨幣釣銭機１０６から売上金としての貨幣を回収していないレジカウンター１０４については、貨幣入金機１における貨幣の入金処理を飛ばす（スキップする）ことができるようになっている。具体的には、図１０（ｃ）や図１０（ｆ）に示す表示画面において、「スキップ」ボタンが押下されると、当該取引先識別情報に関する入金処理がスキップされ、次の入金待機画面もしくは図１０（ｇ）に示す表示画面が操作表示部８６、８８に表示される。また、図１０（ｅ）に示すような表示画面において「継続」ボタンを押下したときに、ＩＤカードのＩＤ情報に関連付けられている複数の取引先識別情報（具体的には、複数のレジカウンター１０４の識別情報）の一覧が操作表示部８６、８８に表示され、複数の取引先識別情報のうち一つの取引先識別情報を選択することができるようになっていてもよい。この場合には、貨幣入金機１において、選択された取引先識別情報に関する入金処理が行われるようになる。また、ＩＤカードのＩＤ情報に関連付けられている複数の取引先識別情報の一覧が操作表示部８６、８８に表示される際に、入金処理が行われたレジカウンター１０４については、操作表示部８６、８８に表示しないか、あるいは網掛け表示とするようにしてもよい。
【００６５】
一方、図１０（ａ）に示すような表示画面において「入金」ボタンが押下されることにより操作表示部８６、８８における表示画面が図１０（ｂ）に示す画面に切り替えられた後、店員が店員用カードを磁気カードリーダ等の読取部９０により読み取らせると（ＳＴＥＰ６の「ＹＥＳ」）、貨幣入金機１において当該店員用カードに記憶されたＩＤ情報に紐付けられている１つのレジカウンター１０４の取引先識別情報に関する貨幣の入金処理が行われるようになる（ＳＴＥＰ７）。このような入金処理の具体的な動作は、上述したＳＴＥＰ１０１〜ＳＴＥＰ１０６の動作と略同一であるためその説明を省略する。また、図１０（ｂ）に示す表示画面においてＩＤカード等の記録媒体９２の認証が読取部９０により行われたときに、店長権限カードや店員用カード以外のカードが読取部９０により読み取られたときには（ＳＴＥＰ６の「ＮＯ」）、操作表示部８６、８８において警告メーセージが表示される等、操作者に対して警告報知が行われる（ＳＴＥＰ８）。
【００６６】
以上のような構成からなる本実施の形態の貨幣入金機１によれば、記録媒体９２の識別情報と、複数の取引先識別情報とが関連付けて記憶部９２ａに記憶されており、記録媒体９２に記録された情報が読取部９０によって読み取られたときに、記憶部９２ａに記憶された情報に基づいて当該記録媒体９２に関連付けられた複数の取引先識別情報が取引先特定部９６により特定されるようになっている。また、本体制御部８０は、取引先特定部９６により特定された複数の取引先識別情報に関する入金処理を行うことを可能とするようになっている。このように、記録媒体９２に記録された情報が読取部９０によって読み取られたときに、この記録媒体９２に関連付けられた複数の取引先識別情報に関する入金処理を行うことを可能とすることにより、複数の取引先の各々に関する入金処理が行われる度に当該取引先に関連する記録媒体９２の情報を読取部９０により読み取らせる場合と比較して、操作者の作業負担を軽減することができ、また、違算が発生した場合にどの取引先が原因であるかを追跡することができるようになる。
【００６７】
また、本実施の形態の貨幣入金機１においては、上述したように、本体制御部８０は、取引先特定部９６により特定された複数の取引先識別情報に関する入金処理の結果に係る情報を、各取引先識別情報に関連付けて管理するようになっている。具体的には、貨幣入金機１においてある取引先識別情報に関する入金処理が行われると、入金処理の結果に係る情報が取引先識別情報と関連付けられて記憶部９４に記憶されたり操作表示部８６、８８に表示されたりするようになる。
【００６８】
また、本実施の形態の貨幣入金機１においては、上述したように、記録媒体９２の識別情報と、複数の取引先識別情報とを関連付けて記憶する記憶部９２ａは、記録媒体９２に設けられている。なお、本実施の形態による貨幣入金機１はこのような態様に限定されることはない。例えば、記録媒体９２の記憶部９２ａが、記録媒体９２の識別情報と、複数の取引先識別情報とを関連付けて記憶する代わりに、貨幣入金機１の筐体１ａ内に設けられている記憶部９４が、記録媒体９２の識別情報と、複数の取引先識別情報とを関連付けて記憶するようになっていてもよい。この場合でも、記録媒体９２に記録された情報が読取部９０によって読み取られたときに、取引先特定部９６は、記憶部９４に記憶された情報に基づいて当該記録媒体９２に関連付けられた複数の取引先識別情報を特定することができるようになる。
【００６９】
また、本実施の形態の貨幣入金機１においては、上述したように、記憶部９２ａには、複数の取引先識別情報を、入金処理の順番に関連付けて記憶するようになっており、取引先特定部９６により特定された複数の取引先識別情報に関する入金処理が行われる際に、ある一つの取引先識別情報に関する入金処理が終了すると、本体制御部８０は、記憶部９２ａに記憶された入金処理の順序に基づいて、次の取引先識別情報に関する入金処理を行うことができるようになっている。このことにより、予め設定された順序に基づいて、複数の取引先識別情報に関する入金処理を順番に行うことができるようになる。なお、本実施の形態による貨幣入金機１はこのような態様に限定されることはない。上述したように、本実施の形態による貨幣入金機１の別の態様として、取引先特定部９６により特定された複数の取引先識別情報に関する入金処理が行われる際に、ある一つの取引先識別情報に関する入金処理が終了すると、入金処理を行うことが可能な複数の取引先識別情報の一覧が操作表示部８６、８８に表示され、操作表示部８６、８８に表示された複数の取引先識別情報のうち、次に入金処理を行う取引先識別情報を選択することができるようになっていてもよい。この場合、操作表示部８６、８８は、次に入金処理を行う取引先識別情報を選択するための選択手段として機能するようになる。また、本実施の形態では、取引先特定部９６により特定された複数の取引先識別情報に関する入金処理が行われる際に、指定された一または複数の取引先識別情報に関する入金処理を省略することができるようになっている。具体的には、貨幣釣銭機１０６から売上金としての貨幣を回収していないレジカウンター１０４については、図１０（ｃ）や図１０（ｆ）に示す表示画面において「スキップ」ボタンを押下することにより、当該レジカウンター１０４に関連する貨幣の入金処理が省略（スキップ）され、次の入金待機画面もしくは図１０（ｇ）に示す表示画面が操作表示部８６、８８に表示されるようになる。
【００７０】
また、本実施の形態の貨幣入金機１においては、上述したように、本体制御部８０は、取引先特定部９６により特定された各々の取引先識別情報に関する入金処理が行われる度に、取引先識別情報に関する入金処理の結果に係る情報をレシートに都度印字するよう印字部８４を制御するようになっている。具体的には、１番目の取引先識別情報に関する貨幣の入金処理が完了すると、１番目の取引先識別情報に関する入金処理の結果に係る情報が印字部８４によりレシートに印字され、その後、２番目の取引先識別情報に関する貨幣の入金処理が完了すると、２番目の取引先識別情報に関する入金処理の結果に係る情報が印字部８４によりレシートに印字されるようになる。なお、本実施の形態による貨幣入金機１はこのような態様に限定されることはない。例えば、取引先特定部９６により特定された複数の取引先識別情報に関する入金処理が全て行われた後に、各々の取引先識別情報に関する入金処理の結果に係る情報が各取引先識別情報に対応して個別に印字部８４によりレシートに印字されるようになっていてもよい。あるいは、取引先特定部９６により特定された複数の取引先識別情報に関する入金処理が全て行われた後に、複数の取引先識別情報に関する入金処理の結果に係る情報が印字部８４により１つのレシートにまとめて印字されるようになっていてもよい。
【００７１】
なお、本実施の形態による貨幣入金機１は、上述したような態様に限定されることはなく、様々な変更を加えることができる。
【００７２】
例えば、読取部９０により読み取られるＩＤカード等の記録媒体９２として、貨幣入金機１において貨幣の計数処理しか行うことができないような計数専用のカードや、貨幣入金機１において貨幣の入金処理しか行うことができないような入金専用のカードがそれぞれ用いられてもよい。この場合には、貨幣入金機１において計数処理や入金処理を行う際に誤操作によって異なる種類の処理が行われてしまうことを防止することができるようになり、このような誤操作による手間を削減することができるようになる。
【００７３】
また、本実施の形態による貨幣入金機１が商業施設１００の出納室１１０に設けられる場合において、当該商業施設１００を複数のフロアに分割し、各フロアに対応してフロアリーダカードを設けるようにしてもよい。この場合には、各フロアリーダカードのＩＤ情報に、当該フロアに設けられた複数のレジカウンター１０４に係る取引先識別情報が関連付けられてこのフロアリーダカードの記憶部に記憶されるようになる。
【００７４】
また、本実施の形態による貨幣入金機１において、複数の取引先識別情報に関連する入金処理を開始する際に、ＩＤカード等の記録媒体９２が読取部９０により読み取られることを条件として入金処理が開始されるような態様に限定されることはない。複数の取引先識別情報に関連する入金処理を開始する際に、操作表示部８６、８８により操作者の識別番号（以下、「操作者識別情報」ともいう）を入力したときに、貨幣入金機１において貨幣の入金処理が開始されるようになっていてもよい。また、この場合に、貨幣入金機１の筐体１ａ内に設けられた記憶部９４に、操作者識別情報と、複数の取引先識別情報とが関連付けられて記憶されるようになっていてもよい。記憶部９４に、操作者識別情報と、複数の取引先識別情報とが関連付けられて記憶されている場合には、操作表示部８６、８８により操作者識別情報が入力されたときに、取引先特定部９６は、記憶部９４に記憶された情報に基づいて操作者識別情報に関連付けられた複数の取引先識別情報を特定するようになる。また、本体制御部８０は、取引先特定部９６により特定された複数の取引先識別情報に関する入金処理を行うことを可能とするようになっている。また、この際に、本体制御部８０は、取引先特定部９６により特定された複数の取引先識別情報に関する入金処理の結果に係る情報を、各取引先識別情報に関連付けて管理するようになっていてもよい。このような変形例に係る貨幣入金機１では、操作表示部８６、８８は、操作者識別情報を入力するための操作者識別情報入力手段として機能するようになる。このような変形例に係る貨幣入金機１によれば、操作者識別情報入力手段によって操作者識別情報が入力されたときに、この操作者識別情報に関連付けられた複数の取引先識別情報に関する入金処理を行うことを可能とすることにより、複数の取引先の各々に関する入金処理が行われる度に操作者が自己の操作者識別情報を操作表示部８６、８８により都度入力する場合と比較して、操作者の作業負担を軽減することができ、また、違算が発生した場合にどの取引先が原因であるかを追跡することができるようになる。
【００７５】
また、本発明による貨幣処理装置は、図３乃至図１０に示すような、貨幣の入金処理や計数処理を行う貨幣入金機１に限定されることはない。本発明による貨幣処理装置として、貨幣の入金処理および出金処理をそれぞれ行うことができる貨幣入出金機が用いられてもよい。このような貨幣入出金機において、レジカウンター１０４に設けられた貨幣釣銭機１０６に補充される釣銭準備金としての貨幣が出金される場合に、釣銭準備金としての貨幣の内訳（具体的には、貨幣の金種毎の枚数）が予め設定されていたり、貨幣釣銭機１０６の在高情報に基づいて釣銭準備金としての貨幣の内訳が算出されたりするようになっていてもよい。また、この場合、１枚のＩＤカード等の記録媒体が当該貨幣入出金機の読取部により読み取られたときに、複数の取引先識別情報に関する貨幣の入金処理および出金処理を行うことができるようになっていてもよい。例えば、このような貨幣入出金機が自動販売機のメンテナンス会社の営業所２００に設置される場合には、メンテナンス会社の係員が営業所２００から出発する前に、複数の自動販売機２０２に補充されるべき釣銭準備金としての貨幣を貨幣入出金機から一度に出金することができるようになる。また、当該係員は、各自動販売機２０２を巡回しながら各自動販売機２０２に釣銭準備金としての貨幣を補充するとともに売上金としての貨幣を回収し、営業所２００に戻ると、複数の自動販売機２０２から回収された売上金としての貨幣を一度に貨幣入出金機に入金することができるようになる。
【符号の説明】
【００７６】
１      貨幣入金機
１ａ    筐体
１ｂ    扉
１ｃ    扉
１０    硬貨入金装置
１２    繰出部
１２ａ  シャッタ
１４    搬送部
１４ａ  搬送ベルト
１４ｂ  プーリ
１４ｃ  プーリ
１６    識別部
１８    振分機構
２０    開口
２２    一時保留用シュート
２４    リジェクト用シュート
２６    一時保留部
２８    リジェクト部
３０    硬貨返却箱
３０ａ  把持部分
３１    ロック部
３２    収納用シュート
４０    硬貨収納カセット
５０    紙幣入金装置
５２    投入部
５２ａ  シャッタ
５４    繰出機構
５６    搬送部
５８    識別部
６０    分岐部
６２    リジェクト部
６４    一時保留部
６５    扉ロック部
７０    紙幣収納カセット
８０    本体制御部
８１    硬貨制御部
８２    紙幣制御部
８４    印字部
８６    操作表示部
８８    操作表示部
９０    読取部
９２    記録媒体
９２ａ  記憶部
９４    記憶部
９６    取引先特定部
９８    通信インターフェース部
１００  商業施設
１０１  売場領域
１０２  商品棚
１０４  レジカウンター
１０６  貨幣釣銭機
１１０  出納室
１２０  テナント
２００  営業所
２０２  自動販売機
２０４  トラック
【図１】
2016062250.tif 000003
【図２】
2016062250.tif 000004
【図３】
2016062250.tif 000005
【図４】
2016062250.tif 000006
【図５】
2016062250.tif 000007
【図６】
2016062250.tif 000008
【図７】
2016062250.tif 000009
【図８】
2016062250.tif 000010
【図９】
2016062250.tif 000011
【図１０】
2016062250.tif 000012